【手続補正書】
【提出日】平成17年1月24日(2005.1.24)
【手続補正１】
【補正対象書類名】明細書
【補正対象項目名】特許請求の範囲
【補正方法】変更
【補正の内容】
【特許請求の範囲】
【請求項１】
折胴と協動して折帳を作成するための一対の折込みローラのいずれか一方または両方に、前記折帳へ向かってエアを噴出するエアノズルを配設したことを特徴とする印刷機の折り装置。
【請求項２】
折胴と協動して折帳を作成するための一対の折込みローラのいずれか一方または両方に、前記折帳の移送方向と逆方向にエアを噴出するエアノズルを配設したことを特徴とする印刷機の折り装置。
【請求項３】
折胴と協動して折帳を作成するための一対の折込みローラのいずれか一方または両方に、エアを噴出するエアノズルを配設し、該エアノズルは、斜め上方へエアを噴出させるにようにしたことを特徴とする印刷機の折り装置。
【請求項４】
折胴と協動して折帳を作成するための一対の折込みローラのいずれか一方または両方に、エアを噴出するエアノズルを配設し、該エアノズルは、前記折帳の移送方向と逆方向にエアを噴出させるようにしたことを特徴とする印刷機の折り装置。
【請求項５】
折胴と協動して折帳を作成する折込みローラ近傍のガイド部に、前記折帳の移送方向と逆方向にエアを噴出するエアノズルを配置したことを特徴とする印刷機の折り装置。
【請求項６】
折胴と協動して折帳を作成する折込みローラの上部から、該折込みローラ間の挟持部にかけて配設されたエアノズル配管と、該エアノズル配管の先端部に前記折帳の移送方向と逆方向に開孔した開孔ノズルとが設けられていることを特徴とする印刷機の折り装置。
【請求項７】
折胴と協動して折帳を作成する一対の折込みローラと、該折込みローラ間の挟持部下方に近傍して前記折帳を羽根車へ案内するガイドとが設けられた印刷機の折り装置において、前記ガイドの上端部には、前記折帳の移送方向と逆方向にエアを噴出させるエアノズルが設けられていることを特徴とする印刷機の折り装置。
【請求項８】
折胴と協動して折帳を作成する折込みローラ近傍のガイド部に配置され、前記折帳の後端部を吸引するサクションボックスが設けられていることを特徴とする印刷機の折り装置。
【請求項９】
前記ガイド部に、さらに、前記折帳の移送方向と逆方向にエアを噴出するエアボックスが配置されていることを特徴とする請求項８に記載の印刷機の折り装置。
【請求項１０】
請求項１〜９のいずれかに記載の折り装置を備えたことを特徴とする新聞用オフセット輪転印刷機。
【請求項１１】
折胴と、該折胴と協動して折帳を作成する折込みローラを有する折り装置のエア噴出方法において、
前記折込みローラの上部周辺を前記折帳が通過する際に、前記折帳に向かってエアを噴出することを特徴とする折り装置のエア噴出方法。
【手続補正２】
【補正対象書類名】明細書
【補正対象項目名】０００９
【補正方法】変更
【補正の内容】
【０００９】
【課題を解決するための手段】
本発明は、折胴と協動して折帳を作成するための一対の折込みローラのいずれか一方または両方に、前記折帳へ向かってエアを噴出するエアノズルを配設している。
また、本発明は、折胴と協動して折帳を作成するための一対の折込みローラのいずれか一方または両方に、前記折帳の移送方向と逆方向にエアを噴出するエアノズルを配設している。
さらに、本発明は、折胴と協動して折帳を作成するための一対の折込みローラのいずれか一方または両方に、エアを噴出するエアノズルを配設し、該エアノズルは、斜め上方へエアを噴出させるにようにしている。
また、本発明は、折胴と協動して折帳を作成するための一対の折込みローラのいずれか一方または両方に、エアを噴出するエアノズルを配設し、該エアノズルは、前記折帳の移送方向と逆方向にエアを噴出させるようにしている。
そして、本発明は、折胴と協動して折帳を作成する折込みローラ近傍のガイド部に、前記折帳の移送方向と逆方向にエアを噴出するエアノズルを配置している。
【手続補正３】
【補正対象書類名】明細書
【補正対象項目名】００１０
【補正方法】変更
【補正の内容】
【００１０】
また、本発明は、折胴と協動して折帳を作成する折込みローラの上部から、該折込みローラ間の挟持部にかけて配設されたエアノズル配管と、該エアノズル配管の先端部に前記折帳の移送方向と逆方向に開孔した開孔ノズルとが設けられている。
さらに、本発明は、折胴と協動して折帳を作成する一対の折込みローラと、該折込みローラ間の挟持部下方に近傍して前記折帳を羽根車へ案内するガイドとが設けられた印刷機の折り装置において、前記ガイドの上端部には、前記折帳の移送方向と逆方向にエアを噴出させるエアノズルが設けられている。
また、本発明は、折胴と協動して折帳を作成する折込みローラ近傍のガイド部に配置され、前記折帳の後端部を吸引するサクションボックスが設けられている。そして、この発明において、前記ガイド部に、さらに、前記折帳の移送方向と逆方向にエアを噴出するエアボックスが配置されている。
以上の本発明において、前記印刷機が新聞用オフセット輪転機であることが好ましい。
さらに、本発明は、折胴と、該折胴と協動して折帳を作成する折込みローラを有する折り装置のエア噴出方法において、前記折込みローラの上部周辺を前記折帳が通過する際に、前記折帳に向かってエアを噴出している。
【手続補正４】
【補正対象書類名】明細書
【補正対象項目名】００２７
【補正方法】変更
【補正の内容】
【００２７】
【発明の効果】
上述の如く、本発明に係る印刷機の折り装置は、折胴と協動して折帳を作成するための一対の折込みローラのいずれか一方または両方に、前記折帳へ向かってエアを噴出するエアノズルを配設しているので、折帳作成時に端折れや皺等のある不良紙の発生を防止できる。また、本発明の印刷機の折り装置は、折胴と協動して折帳を作成するための一対の折込みローラのいずれか一方または両方に、前記折帳の移送方向と逆方向にエアを噴出するエアノズルを配設しているので、上記発明と同様の効果が得られる。
さらに、本発明の印刷機の折り装置は、折胴と協動して折帳を作成するための一対の折込みローラのいずれか一方または両方に、エアを噴出するエアノズルを配設し、該エアノズルは、斜め上方へあるいは前記折帳の移送方向と逆方向にエアを噴出させるようにしているので、上記発明と同様の効果が得られる。
そして、本発明の印刷機の折り装置は、折胴と協動して折帳を作成する折込みローラ近傍のガイド部に、前記折帳の移送方向と逆方向にエアを噴出するエアノズルを配置しているので、上記発明と同様の効果が得られる。
また、本発明の印刷機の折り装置は、折胴と協動して折帳を作成する折込みローラの上部から、該折込みローラ間の挟持部にかけて配設されたエアノズル配管と、該エアノズル配管の先端部に前記折帳の移送方向と逆方向に開孔した開孔ノズルとが設けられているので、上記発明と同様の効果が得られる。さらに、本発明は、折胴と協動して折帳を作成する一対の折込みローラと、該折込みローラ間の挟持部下方に近傍して前記折帳を羽根車へ案内するガイドとが設けられた印刷機の折り装置において、前記ガイドの上端部には、前記折帳の移送方向と逆方向にエアを噴出させるエアノズルが設けられているので、上記発明と同様の効果が得られる。
また、本発明の印刷機の折り装置は、折胴と協動して折帳を作成する折込みローラ近傍のガイド部に配置され、前記折帳の後端部を吸引するサクションボックスが設けられているので、上記発明と同様の効果が得られる。
また、本発明は、折胴と、該折胴と協動して折帳を作成する折込みローラを有する折り装置のエア噴出方法において、前記折込みローラの上部周辺を前記折帳が通過する際に、前記折帳に向かってエアを噴出しているので、上記発明と同様の効果が得られる。